(57)【要約】【課題】再生メニュー画面において所望のタイトルが選択されたときに表示されるサムネイル画面での動画表示をチャプター毎に指定時間ずつスキップできる機能を有する情報記録再生装置を提供する。【解決手段】所望するタイトルが選択されると、動画サムネイル画面が表示され、この画面に表示させる最初のチャプターのチャプター番号が設定され、設定されたチャプター番号のチャプターが動画サムネイルとして再生される。この時、再生したチャプターのポイント数がカウントされる。当該チャプターが再生開始してから指定時間経過したときに、チャプター番号がポイント数だけ更新され、次のチャプターが指定時間再生される。前記更新されたチャプター番号が総チャプター数と一致したときは、最初のチャプターが指定時間再生され、以下、同様に各チャプターが指定時間ずつ循環して再生される。【選択図】図５
2007116385.tif 000002
【特許請求の範囲】
【請求項１】
記録媒体に対して情報の記録／再生を行う情報記録再生装置において、
記録媒体にチャプター単位で記録されたタイトルを再生する場合に、ディスプレイ装置に表示された再生メニュー画面における所望のタイトルが選択されたときに動画サムネイル画面の表示を前記ディスプレイ装置に行う動画サムネイル画面表示手段と、
前記動画サムネイル画面に表示させる最初のチャプター番号または後記更新されたチャプター番号を設定するチャプター番号設定手段と、
前記設定されたチャプター番号のチャプターを動画サムネイルとして再生させる動画サムネイル再生手段と、
前記再生したチャプターのポイント数をカウントするチャプタ−ポイント数カウント手段と、
前記チャプターが再生開始してから指定時間を経過したときに、前記チャプターのチャプター番号を前記ポイント数だけ更新するチャプター番号更新手段と、
前記更新されたチャプター番号が総チャプター数と一致したか否かを判定するチャプター番号判定手段と、
前記更新されたチャプター番号が総チャプター数と一致しないときは、前記チャプター番号設定手段に前記チャプター番号更新手段により更新されたチャプター番号を設定させる更新チャプター番号設定手段と、
前記更新されたチャプター番号が総チャプター数と一致したときは、前記チャプター番号設定手段に最初のチャプター番号を設定させる初期チャプター番号設定手段と、
当該タイトルにはチャプターが一つのチャプターしかない場合には、そのチャプターの先頭の指定時間だけ繰り返して表示させる繰り返し表示手段とを有するシステムコントローラを備えたことを特徴とする情報記録再生装置。
【請求項２】
記録媒体に対して情報の記録／再生を行う情報記録再生装置において、
記録媒体にチャプター単位で記録されたタイトルを再生する場合に、ディスプレイ装置に表示された再生メニュー画面における所望のタイトルが選択されたときに、当該タイトルに複数のチャプターがあった場合に、動画サムネイル画面に表示されるチャプターを最初から順に指定時間ずつ循環して表示させ、当該タイトルにチャプターが一つしかない場合には、そのチャプターの先頭の指定時間だけ動画を繰り返して表示させるシステムコントローラを備えたことを特徴とする情報記録再生装置。
【請求項３】
前記システムコントローラは、記録媒体にチャプター単位で記録されたタイトルを再生する場合に、ディスプレイ装置に表示された再生メニュー画面における所望のタイトルが選択されたときに動画サムネイル画面の表示を前記ディスプレイ装置に行う動画サムネイル画面表示手段と、前記動画サムネイル画面に表示させる最初のチャプター番号または後記更新されたチャプター番号を設定するチャプター番号設定手段と、前記設定されたチャプター番号のチャプターを動画サムネイルとして再生させる動画サムネイル再生手段と、前記再生したチャプターのポイント数をカウントするチャプタ−ポイント数カウント手段と、前記チャプターが再生開始してから指定時間を経過したときに、前記チャプターのチャプター番号を前記ポイント数だけ更新するチャプター番号更新手段と、前記更新されたチャプター番号が総チャプター数と一致したか否かを判定するチャプター番号判定手段と、前記更新されたチャプター番号が総チャプター数と一致しないときは、前記チャプター番号設定手段に前記チャプター番号更新手段により更新されたチャプター番号を設定させる更新チャプター番号設定手段と、前記更新されたチャプター番号が総チャプター数と一致したときは、前記チャプター番号設定手段に最初のチャプター番号を設定させる初期チャプター番号設定手段とを有することを特徴とする請求項２に記載の情報記録再生装置。
【請求項４】
前記システムコントローラは、当該タイトルにチャプターが一つしかない場合には、そのチャプターの先頭の指定時間だけ繰り返して表示させる繰り返し表示手段を有することを特徴とする請求項３に記載の情報記録再生装置。
【発明の詳細な説明】
【技術分野】
【０００１】
本発明は、記録媒体に対して情報の記録／再生を行う情報記録再生装置に関し、特に、ＤＶＤ（デジタルバーサタイルディスク）やハードディスクに記録されたタイトルの動作サムネイルを表示させる処理に関する。
【背景技術】
【０００２】
従来からＤＶＤレコーダやハードディスクレコーダのような情報記録再生装置は、記録媒体（ＤＶＤやハードディスク）に複数のタイトルが記録されていた場合に、ユーザ操作により所望のタイトルが選択されると、そのタイトルの最初のチャプターの先頭画像の所定時間（例えば２０秒）分の画像をディスプレイ装置に動画サムネイルとして繰り返し表示するようになっている。また、記録媒体に一つのタイトルが記録されている場合も、ユーザ操作により、そのタイトルが選択されると、同様に、そのタイトルの最初のチャプターの先頭画像の所定時間分の画像をディスプレイ装置に動画サムネイルとして繰り返し表示するようになっている。
【０００３】
このようにユーザ操作により所望のタイトルが選択されたときに、そのタイトルの内容がどのようなものであるかを見るために、そのタイトルの最初のチャプターの先頭画像の所定時間分の画像がディスプレイ装置に動画サムネイルとして繰り返し表示させることにより、ユーザがそのタイトルの内容を概略的に把握できるようにしている。
【特許文献１】特開２００３−２８９４８６号公報
【特許文献２】特開２００３−７８８６０号公報
【発明の開示】
【発明が解決しようとする課題】
【０００４】
しかしながら、このような従来の情報記録再生装置では、タイトルに複数のチャプターがあった場合でも、選択されたタイトルの最初のチャプターの先頭画像の所定時間分の画像をディスプレイ装置に動画サムネイルとして繰り返し表示するようになっているので、タイトルの最初の部分の画像は確認できるが、全体的にどのような内容がタイトルに記録されているのかが分かりにくいと言う課題があった。
【０００５】
なお、特許文献１の従来技術は、一定時間分の映像データをダイジェストとして作成しておき、ユーザがダイジェスト再生操作を行うと、記録媒体の各サムネイル位置から一定時間分の映像データを順次読み出して、動画によるダイジェスト再生を行うようにしているが、一定時間分の映像データをダイジェストとして予め作成しておかなければならず、ユーザにとっては手間がかかり、また、記録媒体に記録されたタイトルの各チャプターの指定時間分の映像データを順次読み出して、動画サムネイルを表示するものではない。
【０００６】
特許文献２の従来技術は、スキップ再生メニュー画面において、複数のチャプターの画像データの中から、任意のチャプターの任意の個所の複数の画像データをスキップしながら再生できるようにしているが、通常の再生メニュー画面において、複数のタイトルが表示されて、選択されたタイトルに対する動画サムネイルがチャプター順に表示されるようにしたものではない。
【０００７】
本発明は、上記のような課題を解決するためになされたもので、再生メニュー画面において所望のタイトルが選択されたときに表示されるサムネイル画面での動画表示をチャプター毎に指定時間ずつスキップできる機能を有する情報記録再生装置を提供することを目的とする。
【課題を解決するための手段】
【０００８】
上記目的を達成するために、請求項１の発明は、記録媒体にチャプター単位で記録されたタイトルを再生する場合に、ディスプレイ装置に表示された再生メニュー画面における所望のタイトルが選択されたときに動画サムネイル画面の表示を前記ディスプレイ装置に行う動画サムネイル画面表示手段と、前記動画サムネイル画面に表示させる最初のチャプター番号または後記更新されたチャプター番号を設定するチャプター番号設定手段と、前記設定されたチャプター番号のチャプターを動画サムネイルとして再生させる動画サムネイル再生手段と、前記再生したチャプターのポイント数をカウントするチャプタ−ポイント数カウント手段と、前記チャプターが再生開始してから指定時間を経過したときに、前記チャプターのチャプター番号を前記ポイント数だけ更新するチャプター番号更新手段と、前記更新されたチャプター番号が総チャプター数と一致したか否かを判定するチャプター番号判定手段と、前記更新されたチャプター番号が総チャプター数と一致しないときは、前記チャプター番号設定手段に前記チャプター番号更新手段により更新されたチャプター番号を設定させる更新チャプター番号設定手段と、前記更新されたチャプター番号が総チャプター数と一致したときは、前記チャプター番号設定手段に最初のチャプター番号を設定させる初期チャプター番号設定手段と、当該タイトルにはチャプターが一つのチャプターしかない場合には、そのチャプターの先頭の指定時間だけ繰り返して表示させる繰り返し表示手段とを有するシステムコントローラを備えたことを特徴とする情報記録再生装置を提供する。
【０００９】
この構成において、ディスプレイ装置に表示された再生メニュー画面の中から所望するタイトルが選択されると、サムネイル画面表示手段は、ディスプレイ装置に動画サムネイル画面を表示する。次に、チャプター番号設定手段は、動画サムネイル画面に表示させる最初のチャプターのチャプター番号を設定する。そして、サムネイル再生手段は、選択されたタイトルの中の前記設定されチャプター番号のチャプターを動画サムネイルとして再生する。
【００１０】
この時、チャプタ−ポイント数カウント手段は、再生したチャプターのポイント数をカウントする。チャプター番号更新手段は、当該チャプターが再生開始してから指定時間経過したときに、当該チャプターのチャプター番号を前記ポイント数だけ更新する。次に、チャプター番号判定手段は、前記更新されたチャプター番号が総チャプター数と一致したか否かを判定し、前記更新されたチャプター番号が総チャプター数と一致しないときは、更新チャプター番号設定手段は、前記チャプター番号設定手段に前記チャプター番号更新手段により更新されたチャプター番号を設定させる。前記更新されたチャプター番号が総チャプター数と一致したときは、初期チャプター番号設定手段は、前記チャプター番号設定手段に最初のチャプター番号を設定させる。なお、当該タイトルには、チャプターが一つしかない場合には、繰り返し表示手段は、そのチャプターの先頭の指定時間だけ繰り返して表示させる。
【００１１】
この構成によれば、再生メニュー画面において所望のタイトルが選択されたときに表示されるサムネイル画面での動画表示をチャプター毎に指定時間ずつスキップできるので、任意の長時間タイトルが動画サムネイルとして表示されている場合、そのタイトルの最初から最後までを連続して再生しなくても、サムネイル表示からタイトルの記録内容が全体的に分かり、ユーザにとっては使い勝手が良くなる。
【００１２】
請求項２の発明は、記録媒体にチャプター単位で記録されたタイトルを再生する場合に、ディスプレイ装置に表示された再生メニュー画面における所望のタイトルが選択されたときに、当該タイトルに複数のチャプターがあった場合に、動画サムネイル画面に表示されるチャプターを最初から順に指定時間ずつ循環して表示させ、当該タイトルにチャプターが一つしかない場合には、そのチャプターの先頭の指定時間だけ動画を繰り返して表示させるシステムコントローラを備えたことを特徴とする情報記録再生装置を提供する。
【００１３】
この構成において、記録媒体にチャプター単位で記録されたタイトルを再生する場合に、ディスプレイ装置に表示された再生メニュー画面における所望のタイトルが選択されたときに、当該タイトルに複数のチャプターがあった場合は、動画サムネイル画面には、チャプターが最初から順に指定時間ずつ循環して表示され、当該タイトルに一つのチャプターしかない場合には、そのチャプターの先頭の指定時間だけ動画が繰り返して表示される。
【００１４】
この構成によれば、再生メニュー画面において所望のタイトルが選択されたときに表示されるサムネイル画面での動画表示をチャプター毎に指定時間ずつスキップできるので、任意の長時間タイトルが動画サムネイルとして表示されている場合、そのタイトルの最初から最後までを連続して再生しなくても、サムネイル表示からタイトルの記録内容が全体的に分かり、ユーザにとっては使い勝手が良くなる。
【００１５】
請求項３の発明では、請求項２の発明において、前記システムコントローラは、記録媒体にチャプター単位で記録されたタイトルを再生する場合に、ディスプレイ装置に表示された再生メニュー画面における所望のタイトルが選択されたときに動画サムネイル画面の表示を前記ディスプレイ装置に行う動画サムネイル画面表示手段と、前記動画サムネイル画面に表示させる最初のチャプター番号または後記更新されたチャプター番号を設定するチャプター番号設定手段と、前記設定されたチャプター番号のチャプターを動画サムネイルとして再生させる動画サムネイル再生手段と、前記再生したチャプターのポイント数をカウントするチャプタ−ポイント数カウント手段と、前記チャプターが再生開始してから指定時間を経過したときに、前記チャプターのチャプター番号を前記ポイント数だけ更新するチャプター番号更新手段と、前記更新されたチャプター番号が総チャプター数と一致したか否かを判定するチャプター番号判定手段と、前記更新されたチャプター番号が総チャプター数と一致しないときは、前記チャプター番号設定手段に前記チャプター番号更新手段により更新されたチャプター番号を設定させる更新チャプター番号設定手段と、前記更新されたチャプター番号が総チャプター数と一致したときは、前記チャプター番号設定手段に最初のチャプター番号を設定させる初期チャプター番号設定手段とを有する。
【００１６】
したがって、前記システムコントローラは、動画サムネイル画面表示処理、チャプター番号設定処理、動画サムネイル再生処理、チャプタ−ポイント数カウント処理、チャプター番号更新処理、チャプター番号判定処理、更新チャプター番号設定処理、および初期チャプター番号設定処理を実現でき、これにより、再生メニュー画面において所望のタイトルが選択されたときに表示されるサムネイル画面での動画表示をチャプター毎に指定時間ずつスキップさせることが可能になる。
【００１７】
請求項４の発明では、請求項３の発明において、前記システムコントローラは、当該タイトルにはチャプターが一つしかない場合には、そのチャプターの先頭の指定時間だけ繰り返して表示させる繰り返し表示手段を有するので、当該タイトルに一つのチャプターしかない場合には、そのチャプターの先頭の指定時間だけ繰り返して表示させることが可能になる。
【発明の効果】
【００１８】
以上のように本発明によれば、記録媒体にチャプター単位で記録されたタイトルを再生する場合に、ディスプレイ装置に表示された再生メニュー画面における所望のタイトルが選択されたときに動画サムネイル画面の表示を前記ディスプレイ装置に行う動画サムネイル画面表示手段と、前記動画サムネイル画面に表示させる最初のチャプター番号または後記更新されたチャプター番号を設定するチャプター番号設定手段と、前記設定されたチャプター番号のチャプターを動画サムネイルとして再生させる動画サムネイル再生手段と、前記再生したチャプターのポイント数をカウントするチャプタ−ポイント数カウント手段と、前記チャプターが再生開始してから指定時間を経過したときに、前記チャプターのチャプター番号を前記ポイント数だけ更新するチャプター番号更新手段と、前記更新されたチャプター番号が総チャプター数と一致したか否かを判定するチャプター番号判定手段と、前記更新されたチャプター番号が総チャプター数と一致しないときは、前記チャプター番号設定手段に前記チャプター番号更新手段により更新されたチャプター番号を設定させる更新チャプター番号設定手段と、前記更新されたチャプター番号が総チャプター数と一致したときは、前記チャプター番号設定手段に最初のチャプター番号を設定させる初期チャプター番号設定手段と、当該タイトルにはチャプターが一つのチャプターしかない場合には、そのチャプターの先頭の指定時間だけ繰り返して表示させる繰り返し表示手段とを有するシステムコントローラを備えたので、再生メニュー画面において所望のタイトルが選択されたときに表示されるサムネイル画面での動画表示をチャプター毎に指定時間ずつスキップでき、任意の長時間タイトルが動画サムネイルとして表示されている場合、そのタイトルの最初から最後までを連続して再生しなくても、サムネイル表示からタイトルの記録内容が全体的に分かり、ユーザにとっては使い勝手が良くなる。
【００１９】
また、本発明によれば、記録媒体にチャプター単位で記録されたタイトルを再生する場合に、ディスプレイ装置に表示された再生メニュー画面における所望のタイトルが選択されたときに、当該タイトルに複数のチャプターがあった場合に、動画サムネイル画面に表示されるチャプターを最初から順に指定時間ずつ循環して表示させ、当該タイトルにはチャプターが一つのチャプターしかない場合には、そのチャプターの先頭の指定時間だけ動画を繰り返して表示させるシステムコントローラを備えたので、再生メニュー画面において所望のタイトルが選択されたときに表示されるサムネイル画面での動画表示をチャプター毎に指定時間ずつスキップでき、任意の長時間タイトルが動画サムネイルとして表示されている場合、そのタイトルの最初から最後までを連続して再生しなくても、サムネイル表示からタイトルの記録内容が全体的に分かり、ユーザにとっては使い勝手が良くなる。
【発明を実施するための最良の形態】
【００２０】
以下、添付図面を参照しつつ、本発明の実施の形態について説明する。図１は本発明の一実施形態に係る情報記録再生装置としてのＤＶＤレコーダの構成を示すブロック図である。ここでは、ＤＶＤレコーダの構成について説明するが、ハードディスクレコーダにおいても、以下で述べる動画サムネイル表示処理を採用すれば、同様な効果が得られることは言うまでもない。
【００２１】
このＤＶＤレコーダは、ＣＤやＤＶＤの光ディスク１を回転させるスピンドルモータ５と、光ディスク１に対して情報の記録／再生を行うためのレーザ光を出射すると共に光ディスク１からの反射光を受光する光ピックアップ２と、この光ピックアップ２を光ディスク１の半径方向に移動させるためのスレッド３と、システムコントローラ２２の指示に応じて、モータ駆動回路３４を介してスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２２】
また、このＤＶＤレコーダは、光ディスク１の情報の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理とＥＣＣエラー訂正処理を行って生成したデータをＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２３】
また、このＤＶＤレコーダは、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納するＲＡＭ１４とを備えている。
【００２４】
また、このＤＶＤレコーダは、システムコントローラ２２の指示に応じてビデオデコーダ１５から出力されたデータとサブピクチャデコーダ１３から出力されたデータとを合成したりするビデオプロセッサ１７と、ビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２５】
また、このＤＶＤレコーダは、システムコントローラ２２に対して赤外線信号により、再生指示を与えるための再生キー、記録指示を与えるための記録キー、再生停止や記録停止を指示するための停止キー、および電源キーなどの各種操作キーを有するリモコン２１と、装置全体を制御する前記システムコントローラ２２とを備えている。
【００２６】
また、このＤＶＤレコーダは、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の処理に必要なデータを一時的に格納するＲＡＭ２７とを備えている。
【００２７】
また、このＤＶＤレコーダは、図示しないテレビジョン受信機やパーソナルコンピュータなどから送られてきた映像音声データを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２８】
システムコントローラ２２は、本実施形態の特徴として、ＤＶＤにチャプター単位で記録されたタイトルを再生する場合に、ディスプレイ装置２０に表示された再生メニュー画面における所望のタイトルが選択されたときに動画サムネイル画面の表示をディスプレイ装置２０に行う動画サムネイル画面表示手段２２１と、前記動画サムネイル画面に表示させる最初のチャプター番号または後記更新されたチャプター番号を設定するチャプター番号設定手段２２２と、前記設定されたチャプター番号のチャプターを動画サムネイルとして再生させる動画サムネイル再生手段２２３と、前記再生したチャプターのポイント数をカウントするチャプタ−ポイント数カウント手段２２４と、前記チャプターが再生開始してから指定時間を経過したときに、前記チャプターのチャプター番号を前記ポイント数だけ更新するチャプター番号更新手段２２５とを有する。
【００２９】
また、システムコントローラ２２は、前記更新されたチャプター番号が総チャプター数と一致したか否かを判定するチャプター番号判定手段２２６と、前記更新されたチャプター番号が総チャプター数と一致しないときは、前記チャプター番号設定手段２２７に前記チャプター番号更新手段２２５により更新されたチャプター番号を設定させる更新チャプター番号設定手段２２７と、前記更新されたチャプター番号が総チャプター数と一致したときは、前記チャプター番号設定手段２２２に最初のチャプター番号を設定させる初期チャプター番号設定手段２２８と、当該タイトルにチャプターが一つしかない場合には、そのチャプターの先頭の指定時間だけ繰り返して表示させる繰り返し表示手段２２９とを有する。
【００３０】
図２は本実施形態においてＤＶＤに記録されている例えば複数のタイトルＡ，Ｂ，Ｃ，Ｄ，ＥのうちタイトルＡの内容を説明するための図である。このタイトルＡは、３０秒のチャプターＣＨＰ１（チャプタ−番号Ｎ＝１）、２０秒のチャプターＣＨＰ２（チャプタ−番号Ｎ＝２）、１５秒のチャプターＣＨＰ３（チャプタ−番号Ｎ＝３）、１０秒のチャプターＣＨＰ４（チャプタ−番号Ｎ＝４）、３０秒のチャプターＣＨＰ５（チャプタ−番号Ｎ＝５）、および１５秒のチャプターＣＨＰ６（チャプタ−番号Ｎ＝６）から構成されている。
【００３１】
図３は本実施形態において前記タイトルＡに対する動画サムネイルの表示パターンを説明するための図である。この動画サムネイルは、３０秒のチャプターＣＨＰ１に対しては２０秒の動画サムネイルの表示、２０秒のチャプターＣＨＰ２に対しては２０秒の動画サムネイルの表示、１５秒のチャプターＣＨＰ３に対しては１５秒の動画サムネイルと１０秒のチャプターＣＨＰ４に対しては５秒の動画サムネイルとの表示、３０秒のチャプターＣＨＰ５に対しては２０秒の動画サムネイルの表示、１５秒のチャプターＣＨＰ６に対しては１５秒の動画サムネイルの表示、３０秒のチャプターＣＨＰ１に対しては２０秒の動画サムネイルの表示、・・・と言うように循環して表示される。
【００３２】
このように動画サムネイルにチャプター単位で動画を表示していき、最終チャプターの最大２０秒を表示し終えると、タイトルの最初のチャプターから動画表示を行うようにする。また、最終チャプターの画像が２０秒未満（チャプターＣＨＰ６に対しては１５秒）であったとしても、同様にタイトルの最初のチャプターから動画表示を行うようにする。
【００３３】
以上説明したように、動画サムネイルをチャプター単位で指定時間、例えば、２０秒表示する。つまり、任意チャプターを２０秒表示した後、そのまま続きを表示するのではなく、次のチャプターにスキップして、その先頭２０秒をサムネイルとして表示するようにする。この表示方法を繰り返していくが、動画サムネイルの表示中の２０秒以内に連続してチャプターが存在した場合は、それらのチャプターを無視する。つまり、チャプターＣＨＰ１の先頭２０秒を動画表示して、その動画内にチャプターＣＨＰ２，３が含まれていた場合は、チャプターＣＨＰ１を２０秒表示した後は、チャプターＣＨＰ４を２０秒間表示するようにする。また、タイトルの先頭以外にチャプターが存在しなかった場合は、動画サムネイル表示は先頭の２０秒までとし、その２０秒間を繰り返しサムネイル表示するようにする。
【００３４】
図４は本実施形態においてディスプレイ装置に表示された再生メニュー画面を示す図である。再生メニュー画面２００において、２０１は動画サムネイル画面が表示されるサムネイル表示領域を示し、２０２〜２０６はタイトル名が表示されるタイトル名表示領域を示す。この例では、タイトル名表示領域２０２〜２０６には、タイトルＡ〜タイトルＥが表示されている。
【００３５】
図５は本実施形態において動画サムネイル表示処理を説明するためのフローチャートである。このフローチャートおよび図１〜図４を参照して動画サムネイル表示処理について説明する。
【００３６】
先ず、ＤＶＤを装填し、リモコン２１を操作して、再生メニュー画面２００をディスプレイ装置２０に表示させる（ステップＳ１）。そして、再生メニュー画面２００の中から所望するタイトル（例えばタイトルＡ）がリモコン２１の操作により選択されると（ステップＳ２）、システムコントローラ２２のサムネイル画面表示手段２２１は、ビデオデコーダ１５、ビデオプロセッサ１７、およびビデオエンコーダ１８を介して動画サムネイル画面表示信号をディスプレイ装置２０に与え、ディスプレイ装置２０において、再生メニュー画面２００のサムネイル表示領域２０１に動画サムネイル画面を表示させる（ステップＳ４）。
【００３７】
次に、システムコントローラ２２のチャプター番号設定手段２２２は、前記サムネイル表示領域２０１の動画サムネイル画面に表示させる最初のチャプター番号を設定する。即ち、選択されたタイトルの最初のチャプターの画像をサムネイルとして用いるため、チャプター番号Ｎ＝１に設定する（ステップＳ５）。例えば、図２のチャプターＣＨＰ１を示すチャプタ−番号Ｎ＝１に設定する。そして、システムコントローラ２２のサムネイル再生手段２２３は、ＤＶＤの選択されたタイトルの中の前記設定されチャプター番号Ｎ＝１のチャプターＣＨＰ１を動画サムネイルとして再生する（ステップＳ６）。
【００３８】
この時、システムコントローラ２２のチャプタ−ポイント数カウント手段２２４は、再生したチャプターのポイント数をカウントする（ステップＳ７）。即ち、再生したチャプターのポイント数Ｐをカウントする。例えば、最初は、チャプター番号Ｎ＝１は図２ではチャプターＣＨＰ１になるので、ポイント数Ｐは「１」になる。この後、タイトルの終端まで再生していない場合（ステップＳ８）、システムコントローラ２２のチャプター番号更新手段２２５は、当該チャプターが再生開始してからの指定時間（例えば２０秒）経過したときに（ステップＳ９）、当該チャプターのチャプター番号Ｎを前記ポイント数Ｐだけ更新する（ステップＳ１０）、例えば、この場合、チャプタ−番号Ｎ＝２となり、図２ではチャプターＣＨＰ２を示すことになる。
【００３９】
次に、システムコントローラ２２のチャプター番号判定手段２２６は、前記更新されたチャプター番号Ｎが総チャプター数と一致したか否かを判定し（ステップＳ１１）、前記更新されたチャプター番号Ｎが総チャプター数と一致しないときは、更新チャプター番号設定手段２２７は、前記チャプター番号設定手段２２２に前記チャプター番号更新手段２２５により更新されたチャプター番号Ｎを設定させる（ステップＳ１２）。この場合、チャプタ−ＣＨ２を示すチャプタ−番号Ｎ＝２を設定する。そして、システムコントローラ２２のサムネイル再生手段２２３は、ＤＶＤの選択されたタイトルの中の前記設定されチャプター番号Ｎ＝２のチャプターＣＨＰ２を動画サムネイルとして再生する（ステップＳ６）。
【００４０】
この時、システムコントローラ２２のチャプタ−ポイント数カウント手段２２４は、再生したチャプターのポイント数Ｐをカウントする（ステップＳ７）。例えば、２番目は、チャプター番号Ｎ＝２は図２ではチャプターＣＨＰ２を示すことになるので、ポイント数Ｐ＝２になる。この後、タイトルの終端まで再生していない場合（ステップＳ８）、システムコントローラ２２のチャプター番号更新手段２２５は、当該チャプターが再生開始してからの指定時間（例えば２０秒）経過したときに（ステップＳ９）、当該チャプターのチャプター番号Ｎを前記ポイント数Ｐだけ更新する（ステップＳ１０）、例えば、この場合、チャプタ−番号Ｎ＝３となり、図２ではチャプターＣＨＰ３を示すことになる。
【００４１】
次に、システムコントローラ２２のチャプター番号判定手段２２６は、前記更新されたチャプター番号Ｎが総チャプター数と一致したか否かを判定し（ステップＳ１１）、前記更新されたチャプター番号Ｎが総チャプター数と一致しないときは、更新チャプター番号設定手段２２７は、前記チャプター番号設定手段２２２に前記チャプター番号更新手段２２５により更新されたチャプター番号Ｎを設定させる（ステップＳ１２）。この場合、チャプタ−ＣＨ３を示すチャプタ−番号Ｎ＝３が設定される。
【００４２】
以下同様にして、チャプタ−ＣＨ４，５，６を示すチャプタ−番号Ｎ＝４，５，６が設定される。そして、前記更新されたチャプター番号Ｎが総チャプター数と一致したとき（この場合はＮ＝６になったとき）、初期チャプター番号設定手段２２８は、前記チャプター番号設定手段２２２に最初のチャプター番号Ｎ＝１を設定させる（ステップＳ５）。これにより、再び、チャプターＣＨＰ１に対して動画サムネイル表示が開始されることになる。
【００４３】
なお、当該タイトルには、チャプターが一つしかない場合には、システムコントローラ２２の繰り返し表示手段２２９は、そのチャプターの先頭の指定時間だけ繰り返して表示させる（ステップＳ５〜Ｓ８）。
【００４４】
タイトル選択された後（ステップＳ２）、リモコン２１の再生キーが押下されると（ステップＳ３）、選択されたタイトルが再生され（ステップＳ１３）、このタイトルの再生が終了すれば（ステップＳ１４）、本処理は終える。
【００４５】
以上説明したように本実施形態によれば、再生メニュー画面において所望のタイトルが選択されたときに表示されるサムネイル画面での動画表示をチャプター毎に指定時間ずつスキップでき、任意の長時間タイトルが動画サムネイルとして表示されている場合、そのタイトルの最初から最後までを連続して再生しなくても、サムネイル表示からタイトルの記録内容が全体的に分かり、ユーザにとっては使い勝手が良くなる。
【図面の簡単な説明】
【００４６】
【図１】本発明の一実施形態に係る情報記録再生装置としてのＤＶＤレコーダの構成を示すブロック図である。
【図２】前記実施形態においてＤＶＤに記録されている例えば複数のタイトルＡ，Ｂ，Ｃ，Ｄ，ＥのうちタイトルＡの内容を説明するための図である。
【図３】前記実施形態において前記タイトルＡに対する動画サムネイルの表示パターンを説明するための図である。
【図４】前記実施形態においてディスプレイ装置に表示された再生メニュー画面を示す図である。
【図５】前記実施形態において動画サムネイル表示処理を説明するためのフローチャートである。
【符号の説明】
【００４７】
１    光ディスク（記録媒体）
２０    ディスプレイ装置
２２    システムコントローラ
２２１    動画サムネイル画面表示手段
２２２    チャプター番号設定手段
２２３    動画サムネイル再生手段
２２４    チャプタ−ポイント数カウント手段
２２５    チャプター番号更新手段
２２６    チャプター番号判定手段
２２７    更新チャプター番号設定手段
２２８    初期チャプター番号設定手段
２２９    繰り返し表示手段
【図１】
2007116385.tif 000003
【図２】
2007116385.tif 000004
【図３】
2007116385.tif 000005
【図４】
2007116385.tif 000006
【図５】
2007116385.tif 000007